(57)【要約】      （修正有）【課題】大型化を抑えつつ、ストロボ光の光量を測定可能で、且つ状態表示機能やイルミネーション機能を兼ね備える照明装置、照明装置を備える撮影装置及び照明方法を提供する。【解決手段】照明装置を、ストロボ光を放射するストロボ発光手段と、反射面を有し、ストロボ発光手段から放射されるストロボ光を反射面で反射する反射手段と、ＬＥＤ光を放射する発光ダイオード２１２と、発光ダイオード２１２を駆動する発光ダイオード駆動手段とから構成する。この構成において、反射手段は、反射面の一部に開口部２１６を有し、発光ダイオード２１２は、開口部２１６を利用してストロボ光を受光する位置に配置され、発光ダイオード駆動手段は、発光ダイオード２１２を、ＬＥＤ光を放射させるか、又は受光したストロボ光の光量に応じた電気信号を出力させるかを切り替える。【選択図】図２
2016133542.tif 000002
【特許請求の範囲】
【請求項１】
ストロボ光を放射するストロボ発光手段と、
反射面を有し、前記ストロボ発光手段から放射されるストロボ光を該反射面で反射する反射手段と、
ＬＥＤ光を放射する発光ダイオードと、
前記発光ダイオードを駆動する発光ダイオード駆動手段と、
を備え、
前記反射手段は、前記反射面の一部に開口部を有し、
前記発光ダイオードは、前記開口部を利用して前記ストロボ光を受光する位置に配置され、
前記発光ダイオード駆動手段は、前記発光ダイオードを  前記ＬＥＤ光を放射させるか、又は前記受光したストロボ光の光量に応じた電気信号を出力させるかを切り替える、
照明装置。
【請求項２】
前記発光ダイオードは、前記開口部に対し、前記ストロボ発光手段とは反対の側に配置される、
請求項１に記載の照明装置。
【請求項３】
前記発光ダイオードは、前記ＬＥＤ光を放射する放射部を有し、
前記放射部は、前記開口部に対し、前記ストロボ発光手段と同じ側に配置される、
請求項１又は請求項２に記載の照明装置。
【請求項４】
前記反射面は、前記ストロボ発光手段とは反対の側に向かって湾曲する凹面である、
請求項１から請求項３の何れか一項に記載の照明装置。
【請求項５】
前記開口部は、前記凹面の中心に設けられている、
請求項１から請求項４の何れか一項に記載の照明装置。
【請求項６】
前記ストロボ発光手段、前記開口部、及び前記発光ダイオードは、同一の平面上に配置される、
請求項１から請求項５の何れか一項に記載の照明装置。
【請求項７】
前記発光ダイオードは、前記ＬＥＤ光の主光束が、前記ストロボ発光手段に直接入射するように配置される、
請求項１から請求項６の何れか一項に記載の照明装置。
【請求項８】
前記開口部は、前記凹面の中心からずれた位置に設けられている、
請求項４に記載の照明装置。
【請求項９】
前記発光ダイオードは、前記ＬＥＤ光の主光束が前記ストロボ発光手段に入射せず被写体を直接照明するように配置される、
請求項８に記載の照明装置。
【請求項１０】
導光手段を更に備え、
前記発光ダイオードから放射された前記ＬＥＤ光の一部は、前記導光手段により前記照明装置外に導光される、
請求項１から請求項９の何れか一項に記載の照明装置。
【請求項１１】
前記発光ダイオード駆動手段は、前記発光ダイオードから出力された電気信号を増幅する増幅器を有する、
請求項１から請求項１０の何れか一項に記載の照明装置。
【請求項１２】
前記発光ダイオード駆動手段は、前記発光ダイオードから出力された電気信号の電圧と基準電圧との何れの電圧が大きいかに応じた比較信号を出力する比較器を有し、
前記基準電圧は可変である、
請求項１から請求項１１の何れか一項に記載の照明装置。
【請求項１３】
請求項１から請求項１２の何れか一項に記載の照明装置を内蔵する撮影装置。
【請求項１４】
ストロボ光を放射するストロボ発光手段と、反射面を有し、前記ストロボ発光手段から放射されるストロボ光を該反射面で反射する反射手段と、ＬＥＤ光を放射する発光ダイオードと、を備え、前記反射手段は、前記反射面の一部に開口部を有し、前記発光ダイオードは、前記開口部を利用して前記ストロボ光を受光する位置に配置される照明装置における照明方法であって、
前記発光ダイオードを、前記ＬＥＤ光を放射させるか、又は前記受光したストロボ光の光量を検知するかを切り替える切り替えステップを含む、
照明方法。
【発明の詳細な説明】
【技術分野】
【０００１】
本発明は、照明装置、照明装置を備える撮影装置及び照明方法に関する。
【背景技術】
【０００２】
一般に、撮影装置に用いられる照明装置としてのストロボ装置は、適正な露出を得るために発光強度を検知し、発光量を制御する機能を有する。
【０００３】
この種のストロボ装置の一つとして、特許文献１には、凹面を有するリフレクタとリフレクタ内に配置されたキセノン管を備えるストロボ装置が記載されている。リフレクタの外部には、受光素子と、キセノン管から発せられたストロボ光を受光素子に導く反射板やグラスファイバ等が配置されている。特許文献１に記載のストロボ装置では、まずストロボ装置を所定の駆動電圧でプレ発光させてストロボ光の光量を測定する。次いで、メイン発光時のストロボ光の光量が所望の値となるように、プレ発光時の駆動電圧と光量との関係に基づいてメイン発光時の駆動電圧を設定する。これにより、メイン発光時のストロボ光の光量を所望の値とすることができる。
【０００４】
また、特許文献２には、２つのＬＥＤを有するＬＥＤユニットの検査方法が開示されている。特許文献２の検査方法では、一方のＬＥＤを点灯状態とし、他方のＬＥＤを、前記
一方のＬＥＤから放射されたＬＥＤ光の受光状態とすることにより、前記一方のＬＥＤの点灯状態を確認することができる。
【先行技術文献】
【特許文献】
【０００５】
【特許文献１】特開平９−６１９１０号公報
【特許文献２】特開２０１０−２３０５６８号公報
【発明の概要】
【発明が解決しようとする課題】
【０００６】
ところで、特許文献１に記載のストロボ装置では、受光素子や反射板、グラスファイバ等はストロボ光の光量測定のためだけに使用されていた。また、受光素子や反射板、グラスファイバ等は、リフレクタの外部に配置されているため、ストロボ装置が大型化してしまうという問題がある。なお、特許文献２には、ＬＥＤを受光状態とすることが記載されているが、これは、ＬＥＤを他のＬＥＤの検査に使用することを述べているに過ぎない。
【０００７】
本発明は上記の事情に鑑みてなされたものであり、その目的とするところは、照明装置の大型化が抑えられつつもストロボ光の光量を検知可能で、且つ状態表示機能やイルミネーション機能を兼ね備える照明装置、照明装置を備える撮影装置及び照明方法を提供することにある。
【課題を解決するための手段】
【０００８】
上記の課題を解決する本発明の実施形態の照明装置は、ストロボ光を放射するストロボ発光手段と、反射面を有し、ストロボ発光手段から放射されるストロボ光を反射面で反射する反射手段と、ＬＥＤ光を放射する発光ダイオードと、発光ダイオードを駆動する発光ダイオード駆動手段とを備える。この構成において、反射手段は、反射面の一部に開口部を有し、発光ダイオードは、開口部を利用してストロボ光を受光する位置に配置され、発光ダイオード駆動手段は、発光ダイオードを、ＬＥＤ光を放射させるか、又は受光したストロボ光の光量に応じた電気信号を出力させるかを切り替える。
【０００９】
このような構成によれば、発光ダイオードによってストロボ光の光量を測定可能であると共に、発光ダイオードを発光させることにより、照明装置に状態表示機能やイルミネーション機能を持たせることができる。更に、反射手段の一部に開口部が設けられ、発光ダイオードは開口部を利用してストロボ光を受光するため、発光ダイオードでストロボ光を受光するために照明装置が大型化してしまうことが防がれる。
【００１０】
また、発光ダイオードは、開口部に対し、ストロボ発光手段とは反対の側に配置されてもよい。
【００１１】
このような構成によれば、開口部の大きさは、ＬＥＤ光を通すために必要な大きさ、或いは発光ダイオードでストロボ光を受光するために必要な大きさに抑えることができる。そのため、開口部を通り、且つ発光ダイオードで受光されないストロボ光の発生を抑えることができ、ストロボ光の利用効率の低下を抑えることができる。
【００１２】
また、発光ダイオードは、ＬＥＤ光を放射する放射部を有し、放射部は、開口部に対し、ストロボ発光手段と同じ側に配置されてもよい。
【００１３】
このような構成によれば、放射部から放射されたＬＥＤ光を被写体の側に効率よく放射させることができる。
【００１４】
また、反射面は、ストロボ発光手段とは反対の側に向かって湾曲する凹面であってもよい。
【００１５】
このような構成によれば、ストロボ光又はＬＥＤ光を被写体の側に効率よく放射させることができる。
【００１６】
また、開口部は、凹面の中心に設けられてもよい。
【００１７】
このような構成によれば、発光ダイオードから放射されたＬＥＤ光がストロボ発光手段に入射され易くなる。ストロボ発光手段に入射されたＬＥＤ光は、ストロボ発光手段で反射された後、反射手段で反射されて被写体の側に放射される。そのため、装置を大型化することなく、反射手段を照明装置の状態表示機能やイルミネーション機能に使用することができる。
【００１８】
また、ストロボ発光手段、開口部、及び発光ダイオードは、同一の平面上に配置されてもよい。
【００１９】
このような構成によれば、キセノン管等の一方向に長尺な形状を有する光源をストロボ発光手段として使用した場合においても、発光ダイオードから放射されたＬＥＤ光がストロボ発光手段に入射され易くなる。
【００２０】
また、発光ダイオードは、ＬＥＤ光の主光束が、ストロボ発光手段に直接入射するように配置されていてもよい。
【００２１】
このような構成によれば、ＬＥＤ光の比較的強い主光束を、照明装置の状態表示機能やイルミネーション機能に使用することができる。
【００２２】
また、開口部は、凹面の中心からずれた位置に設けられていてもよい。
【００２３】
このような構成によれば、ＬＥＤ光の一部がストロボ発光手段で反射されることなく被写体の側に放射されるため、ＬＥＤ光を照明装置の状態表示機能やイルミネーション機能だけでなく、被写体を照明する照明光として使用することができる。
【００２４】
また、発光ダイオードは、ＬＥＤ光の主光束がストロボ発光手段に入射せず被写体を直接照明するように配置されていてもよい。
【００２５】
このような構成によれば、ＬＥＤ光の比較的強い主光束を、被写体を照明する照明光として使用することができる。
【００２６】
また、照明装置は、導光手段を更に備えてもよい。この場合、発光ダイオードから放射されたＬＥＤ光の一部は、導光手段により照明装置外に導光される。
【００２７】
このような構成によれば、ＬＥＤ光を被写体の側とは別の方向にも導光することができる。これにより、ＬＥＤ光による状態表示やイルミネーションを被写体の側以外からも確認することができる。
【００２８】
また、発光ダイオード駆動手段は、発光ダイオードから出力された電気信号を増幅する増幅器を有してもよい。
【００２９】
また、発光ダイオード駆動手段は、発光ダイオードから出力された電気信号の電圧と基準電圧との何れの電圧が大きいかに応じた比較信号を出力する比較器を有してもよい。この場合、基準電圧は可変であってもよい。
【００３０】
上記の課題を解決する本発明の実施形態の撮影装置は、上記の照明装置を内蔵する。
【００３１】
上記の課題を解決する本発明の実施形態の照明方法は、ストロボ光を放射するストロボ発光手段と、反射面を有し、ストロボ発光手段から放射されるストロボ光を反射面で反射する反射手段と、ＬＥＤ光を放射する発光ダイオードと、を備え、反射手段は、反射面の一部に開口部を有し、発光ダイオードは、開口部を利用してストロボ光を受光する位置に配置される照明装置における照明方法である。この照明方法は、発光ダイオードを、ＬＥＤ光を放射するか、又はストロボ発光手段により放射されたストロボ光を受光し、該受光したストロボ光の光量を検知するかを切り替える切り替えステップを含む。
【発明の効果】
【００３２】
本発明の実施形態によれば、照明装置の大型化が抑えられつつもストロボ光の光量を測定可能で、且つ状態表示機能やイルミネーション機能を兼ね備える照明装置、照明装置を備える撮影装置及び照明方法が提供される。
【図面の簡単な説明】
【００３３】
【図１】本発明の実施形態の照明装置を備える撮影装置の構成を示すブロック図である。
【図２】本発明の実施形態の照明装置の斜視図及び断面図である。
【図３】本発明の実施形態のキセノン管発光制御部を説明するための図である。
【図４】本発明の実施形態のＬＥＤ駆動制御部を説明するための図である。
【図５】本発明の実施形態のオペアンプからの出力電圧を用いたストロボ光の光量制御を説明するための図である。
【図６】本発明の実施形態のＬＥＤ放射光を用いた状態表示機能及びストロボ光の光量制御に関するフローチャートである。
【図７】本発明の実施形態の変形例における照明装置の断面図である。
【図８】本発明の実施形態の別の変形例における照明装置２００ａの断面図である。
【図９】本発明の実施形態の変形例におけるＬＥＤ駆動制御部を説明するための図である。
【図１０】本発明の実施形態の別の変形例におけるＬＥＤ駆動制御部を説明するための図である。
【発明を実施するための形態】
【００３４】
以下、本発明の実施形態の照明装置を備える撮影装置について図面を参照しながら説明する。以下で詳細に説明するように、本実施形態の照明装置は、イルミネーション機能や撮影装置の状態や撮影状況を含む様々な情報を発光ダイオード（ＬＥＤ：Light Emitting Diode）から放射された光によって表示する状態表示機能を有する。なお、以下においては、本発明の一実施形態として、デジタル一眼レフカメラについて説明する。なお、撮影装置は、デジタル一眼レフカメラに限らず、例えば、コンパクトデジタルカメラ、ミラーレス一眼カメラ、ビデオカメラ、カムコーダ、タブレット端末、ＰＨＳ（Personal Handy phone System）、スマートフォン、フィーチャフォン、携帯ゲーム機など、照明装置を有する別の形態の装置に置き換えてもよい。また、照明装置は、撮影装置に着脱可能に装着されてもよく、撮影装置に内蔵されていてもよい。
【００３５】
図１は、本実施形態の照明装置２００を備える撮影装置１の構成を示すブロック図である。図１に示されるように、撮影装置１は、システムコントローラ１００、操作部１０１、絞り駆動回路１０２、シャッタ駆動回路１０３、フォーカス駆動回路１０４、撮像素子１０５、撮像素子駆動回路１０６、ＡＤ変換回路１０７、ＤＲＡＭ（Dynamic Random Access Memory）１０８、ＥＥＰＲＯＭ（Electrically Erasable Programmable Read-Only Memory）１０９、ＬＣＤ（Liquid Crystal Display）１１０、測光装置１１１、測距装置１１２、カード用インタフェース１１３を備えている。
【００３６】
操作部１０１には、電源スイッチやレリーズスイッチ、撮影モードスイッチなど、撮影者が撮影装置１を操作するために必要な各種スイッチが含まれる。撮影者により電源スイッチが操作されると、図示省略されたバッテリから撮影装置１の各種回路に電源ラインを通じて電源供給が行われる。
【００３７】
システムコントローラ１００は、ＣＰＵ（Central Processing Unit）及びＤＳＰ（Digital Signal Processor）を含む。システムコントローラ１００は電源供給後、ＥＥＰＲＯＭ１０９にアクセスして制御プログラムを読み出してワークエリア（不図示）にロードし、ロードされた制御プログラムを実行することにより、撮影装置１全体の制御を行う。
【００３８】
レリーズスイッチが操作されると、システムコントローラ１００は、例えば、撮像素子１０５により撮像された画像に基づいて計算された測光値や、撮影装置１に内蔵された測光装置１１１で測定された測光値に基づき適正露出が得られるように、絞り駆動回路１０２及びシャッタ駆動回路１０３を介して絞り（不図示）及びシャッタ（不図示）を駆動制御する。より詳細には、絞り及びシャッタの駆動制御は、プログラムＡＥ（Automatic Exposure）、シャッタ優先ＡＥ、絞り優先ＡＥなど、撮影モードスイッチにより指定されるＡＥ機能に基づいて行われる。また、システムコントローラ１００はＡＥ制御と併せてＡＦ（Autofocus）制御を行う。ＡＦ制御には、測距装置１１２を用いたアクティブ方式が適用される。また、ＡＦ制御には、測距装置１１２を用いず、撮像素子１０５から出力される画像信号を用いた位相差検出方式、コントラスト検出方式等が適用されてもよい。また、ＡＦモードには、中央一点の測距エリアを用いた中央一点測距モード、複数の測距エリアを用いた多点測距モード等がある。システムコントローラ１００は、ＡＦ結果に基づいてフォーカス駆動回路１０４を介して撮影レンズ（不図示）を駆動制御し、撮影レンズの焦点を調整する。なお、この種のＡＥ及びＡＦの構成及び制御については周知であるため、ここでの詳細な説明は省略する。
【００３９】
被写体からの光束は、撮影レンズ、絞り、シャッタを通過して撮像素子１０５の受光面で受光される。撮像素子１０５は、ベイヤ型画素配置を有する単板式カラーＣＣＤ（Charge Coupled Device）イメージセンサである。撮像素子１０５は、受光面上の各画素で結像した光学像を光量に応じた電荷として蓄積して、Ｒ（Red）、Ｇ（Green）、Ｂ（Blue）の画像信号を生成して出力する。なお、撮像素子１０５は、ＣＣＤイメージセンサに限らず、ＣＭＯＳ（Complementary Metal Oxide Semiconductor）イメージセンサやその他の種類の撮像装置に置き換えられてもよい。撮像素子１０５はまた、補色系フィルタを搭載したものであってもよい。撮像素子１０５から出力された画像信号は、ＡＤ変換回路１０７でデジタル信号に変換されてシステムコントローラ１００に入力される。
【００４０】
システムコントローラ１００は、ＡＤ変換回路１０７より入力される画像信号に対してクランプ、デモザイク等の所定の信号処理を施す。更に、システムコントローラ１００は、画像信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。ＤＲＡＭ１０８は、システムコントローラ１００による処理の実行時、処理データの一時的な保存場所として用いられる。また、撮影画像の保存形式は、ＪＰＥＧ形式に限らず、最小限の画像処理（例えば、画像領域の黒レベルの補正処理等）しか施されないＲＡＷ形式であってもよい。
【００４１】
カード用インタフェース１１３のカードスロットには、メモリカード３００が着脱可能に差し込まれている。システムコントローラ１００は、カード用インタフェース１１３を介してメモリカード３００と通信可能である。システムコントローラ１００は、生成された圧縮画像信号（撮影画像データ）をメモリカード３００（又は撮影装置１に備えられる不図示の内蔵メモリ）に保存する。
【００４２】
また、システムコントローラ１００は、生成された輝度信号Ｙ、色差信号Ｃｂ、Ｃｒをフレームメモリ（不図示）にフレーム単位でバッファリングする。システムコントローラ１００は、バッファリングされた信号を所定のタイミングで各フレームメモリから掃き出して所定のフォーマットのビデオ信号に変換し、ＬＣＤ１１０に出力する。これにより、被写体の撮影画像がＬＣＤ１１０の表示画面に表示される。撮影者は、ＡＥ制御及びＡＦ制御に基づいて適正な露出及びピントで撮影されたリアルタイムのスルー画（ライブビュー）を、ＬＣＤ１１０の表示画面を通じて視認することができる。
【００４３】
システムコントローラ１００は、撮影者により撮影画像の再生操作が行われると、操作により指定された撮影画像データをメモリカード３００又は内蔵メモリより読み出して所定のフォーマットの画像信号に変換し、ＬＣＤ１１０に出力する。これにより、被写体の撮影画像がＬＣＤ１１０の表示画面に表示される。
【００４４】
撮影装置１には、照明装置２００が着脱可能に装着されている。照明装置２００は、暗所など、露出不足となる状況下での撮影を補助するための機器であり、キセノン管２１０、キセノン管発光制御部２１１、発光ダイオード（ＬＥＤ）２１２、ＬＥＤ駆動制御部２１３を備えている。以下で詳細に説明するように、本実施形態による照明装置２００においては、ＬＥＤ２１２を発光素子としての機能に加え受光素子として用いることにより、イルミネーション機能・状態表示機能に加え、キセノン管２１０の発光を検知する機能が提供される。
【００４５】
図２（ａ）、図２（ｂ）は、照明装置２００の斜視図及び断面図である。図２（ａ）、図２（ｂ）に示されるように、照明装置２００は、筐体２２０内に、キセノン管２１０、リフレクタ２１４、及びＬＥＤ２１２を備えている。リフレクタ２１４は湾曲形状を有しており、凹状の面に反射面２１５が形成されている。また、リフレクタ２１４は、キセノン管２１０の後方に、キセノン管２１０を覆うように配置されている。なお、図示の便宜上、図２（ａ）では筐体２２０及びＬＥＤ２１２の図示を省略しており、図２（ａ）、図２（ｂ）ではキセノン管発光制御部２１１及びＬＥＤ駆動制御部２１３の図示を省略している。
【００４６】
以下の説明において、図２におけるキセノン管２１０に対してリフレクタ２１４が配置されている側を後方と定義し、その反対側を前方と定義する。また、本実施形態において、キセノン管２１０は一方向に伸びる長尺な形状を有している。このキセノン管２１０の伸びる方向を左右方向と定義し、前後方向及び左右方向と直交する方向を上下方向と定義する。
【００４７】
リフレクタ２１４の凹状の面の中心には開口部２１６が形成されている。開口部２１６は、キセノン管２１０の後方に配置されている。また、ＬＥＤ２１２は、開口部２１６の後方に配置されている。
【００４８】
ＬＥＤ２１２は、駆動電流に応じて発光する不図示の発光面を有している。ＬＥＤ２１２の発光面の前方には、樹脂やガラスなどの透明材料から構成されるレンズ部２１２Ｌが設けられている。発光面から放射したＬＥＤ光（以下、必要に応じて「ＬＥＤ照明光」と記す。）は、レンズ部２１２Ｌを通してＬＥＤ２１２から放射される。ＬＥＤ２１２は、ＬＥＤ照明光の主光束が前方に放射されるように配置されている。主光束とは、ＬＥＤ２１２の発光面に略垂直な方向に放射されるＬＥＤ照明光であり、他の方向に放射されるＬＥＤ照明光に比べて発光強度が大きい。
【００４９】
キセノン管２１０は、大光量の白色の照明光（以下、必要に応じて「ストロボ光」と記す。）を放射することができる。そのため、キセノン管２１０による照明は、例えば暗所での静止画撮影や遠距離撮影に適している。システムコントローラ１００は、例えば、暗所での静止画撮影が行われる場合、静止画撮影と同期したタイミングでキセノン管発光制御部２１１を介してキセノン管２１０を駆動し、ストロボ光を放射させる。キセノン管２１０から前方へ放射されるストロボ光は、リフレクタ２１４で反射されることなく被写体を照明する。キセノン管２１０から前方以外の方向へ放射されるストロボ光の大部分は、リフレクタ２１４の反射面２１５で反射されて方向が前方に変えられた後、被写体を照明する。
【００５０】
ＬＥＤ２１２は、ＬＥＤ照明光を持続的に放射することができる。システムコントローラ１００は、静止画撮影と同期したタイミング、動画撮影と同期したタイミング、撮影装置１の状態等に応じてＬＥＤ駆動制御部２１３を介してＬＥＤ２１２を駆動し、ＬＥＤ照明光を放射させる。放射されたＬＥＤ照明光は前方へ放射され、開口部２１６に後方から入射される。キセノン管２１０、開口部２１６及びＬＥＤ２１２は、実質的に同じ平面上（前後方向及び左右方向に平行な平面上）に配置されているため、ＬＥＤ２１２から放射されたＬＥＤ照明光の主光束は、キセノン管２１０に直接入射される。キセノン管２１０に入射されたＬＥＤ照明光（主光束）はキセノン管２１０で反射され、一部は照明装置２００の前方へ放射される。また、キセノン管２１０で反射されたＬＥＤ照明光の他の一部は、リフレクタ２１４の反射面２１５で反射されて放射方向が前方に変えられた後、照明装置２００の前方へ放射される。これにより、照明装置２００に、ＬＥＤ照明光による状態表示機能やイルミネーション機能を持たせることができる。
【００５１】
状態表示機能とは、撮影装置１の状態を撮影者や被写体に知らせる機能のことである。例えば、ＬＥＤ２１２を点滅させたり、発光強度を変化させたり、発光色を変化させたりすることによって、撮影装置１に設定されている動作モードや撮影装置１の状態を撮影者や被写体に知らせることができる。また、この状態表示機能にはＬＥＤ照明光が使用されるため、撮影者や被写体が撮影装置１から離れた位置にいる場合であっても、その位置からＬＥＤ照明光を視認できれば、撮影装置１の状態を撮影者や被写体に知らせることができる。
【００５２】
イルミネーション機能とは、ＬＥＤ照明光によって撮影装置１又は照明装置２００を装飾する機能のことである。このイルミネーション機能により、撮影装置１や照明装置２００に高級感を持たせる、或いは目立たせる等の付加価値を持たせることができる。
【００５３】
次に、キセノン管２１０によるストロボ光の発光制御について説明する。図３は、キセノン管２１０に接続されたキセノン管発光制御部２１１を説明する図である。キセノン管発光制御部２１１は、倍電圧回路３０、トリガ回路３２、チョークコイル３４、ＩＧＢＴ（Insulated Gate Bipolar Transistor）回路３６、メインコンデンサ３８、ダイオード４０、電源端子４２、ＩＧＢＴ制御端子４４、ＧＮＤ端子４６を備える。
【００５４】
電源端子４２に不図示の昇圧回路から出力された電圧が印加されると、この電圧によりメインコンデンサ３８が充電される。撮影装置１がストロボ光を発光するように設定されている状態でレリーズスイッチが全押し操作されると、ストロボ光の発光を指示する信号がＩＧＢＴ制御端子４４からＩＧＢＴ回路３６に入力される。これによりＩＧＢＴ回路３６がＯＦＦの状態からＯＮの状態となる。ＩＧＢＴ回路３６がＯＮの状態になることにより、トリガ回路３２がＯＦＦの状態からＯＮの状態となる。トリガ回路３２がＯＮの状態となることにより、メインコンデンサ３８に充電された電荷がキセノン管２１０のアノード側端子からカソード側端子に向けて放電される。また、ＩＧＢＴ回路３６がＯＮの状態になると、倍電圧回路３０によってキセノン管２１０のカソード側端子が瞬間的に引き下げられる。例えば、昇圧回路から出力された電圧が＋３００Ｖである場合、キセノン管２１０のカソード側端子の電圧は、倍電圧回路３０によって−３００Ｖに引き下げられる。これにより、キセノン管２１０には、昇圧回路から出力された電圧のおよそ倍（例えば、＋３００Ｖから−３００Ｖの６００Ｖ）の電圧差が発光開始時に印加され、キセノン管２１０からストロボ光が放射される。また、ＩＧＢＴ回路３６がＯＦＦの状態になると、キセノン管２１０の電荷の放電経路が遮断され、ストロボ光の発光が停止する。ダイオード４０はキセノン管２１０のアノード側端子の電圧を設定している。
【００５５】
以上に説明した倍電圧回路３０はストロボの発光に必須な回路ではないが、メインコンデンサ３８の充電電圧のバラツキや環境温度のバラツキに対して発光開始時の放電特性の安定に寄与するので、後に説明するストロボ光の光量制御のように、短時間で発光のＯＮ、ＯＦＦを繰り返す制御に好適な回路である。
【００５６】
また、ＬＥＤ２１２のアノード側端子にカソード側端子よりも高い電圧が印加されると、ＬＥＤ２１２からは、ほぼアノード側端子とカソード側端子間の電位差に応じたＬＥＤ光が放射される。また、ＬＥＤ２１２は、光を受光すると、ほぼその光の強度に応じてアノード側端子にカソード側端子よりも高い電圧が生じる。そのため、ＬＥＤ２１２は、発光素子又は受光素子として使用することができる。
【００５７】
次に、ＬＥＤ駆動制御部２１３によるＬＥＤ２１２の制御について説明する。図４は、ＬＥＤ駆動制御部２１３を説明するための図である。ＬＥＤ駆動制御部２１３は、トランジスタＴｒ１、Ｔｒ２、オペアンプＯＡ、抵抗Ｒ１〜Ｒ９、端子ＩＮ、ＯＵＴ、Ｖｃｃ１〜Ｖｃｃ３、ＧＮＤ１〜ＧＮＤ３を備える。
【００５８】
ＬＥＤ駆動制御部２１３の端子ＩＮに、ＬＥＤ２１２の発光を指示する信号（例えば、３．３Ｖ電圧）が入力されると、トランジスタＴｒ２がＯＦＦの状態からＯＮの状態となる。また、トランジスタＴｒ２がＯＮの状態になることにより、トランジスタＴｒ１もＯＦＦの状態からＯＮの状態となる。これにより、端子Ｖｃｃ１に印加されている駆動電圧（例えば、５Ｖ）により、トランジスタＴｒ１、抵抗Ｒ１、ＬＥＤ２１２、端子ＧＮＤ２を含む経路に駆動電流が流れ、ＬＥＤ２１２からＬＥＤ照明光が発光される。また、ＬＥＤ駆動制御部２１３の端子ＩＮに、ＬＥＤ２１２の発光の停止を指示する信号（例えば、０Ｖ電圧）が入力されると、トランジスタＴｒ２、トランジスタＴｒ１がＯＦＦの状態となる。これにより、ＬＥＤ２１２に駆動電流が流れなくなり、ＬＥＤ２１２の発光が停止する。
【００５９】
端子ＩＮにＬＥＤ２１２の発光の停止を指示する信号が入力されている間、ＬＥＤ２１２を受光素子（フォトダイオード）として使用することができる。このとき、ＬＥＤ２１２に外部から光が入射されると、ＬＥＤ２１２からは、受光した光の光量に応じた電圧が出力される。ＬＥＤ２１２から出力された電圧は、オペアンプＯＡの反転入力端子（−）に印加される。また、端子Ｖｃｃ２に印加されている電圧（例えば、５Ｖ）により、オペアンプＯＡの非反転入力端子（＋）にはリファレンス電圧Ｖｒが印加される。また、オペアンプＯＡの端子Ｖｃｃ３には、駆動電圧（例えば、５Ｖ）が印加されている。
【００６０】
オペアンプＯＡは、反転入力端子（−）に印加された電圧Ｖｍと非反転入力端子（＋）とに印加された電圧Ｖｒの大小関係に応じた電圧を出力する比較器（コンパレータ）として動作する。詳しくは、反転入力端子（−）に印加される電圧Ｖｍが非反転入力端子（＋）に印加される電圧Ｖｒよりも小さい場合、オペアンプＯＡの出力端子ＯＵＴからハイレベル（例えば、５Ｖ）の電圧が出力される。また、反転入力端子（−）に印加される電圧Ｖｍが非反転入力端子（＋）に印加される電圧Ｖｒ以上である場合、オペアンプＯＡの出力端子ＯＵＴからローレベル（例えば、０Ｖ）の電圧が出力される。
【００６１】
ＬＥＤ２１２は、キセノン管２１０から放射されるストロボ光を受光する位置に配置されている。そのため、ＬＥＤ２１２をフォトダイオードとして使用する場合、ＬＥＤ２１２からは、ストロボ光の光量に応じた電圧が出力される。これにより、ＬＥＤ２１２及びＬＥＤ駆動制御部２１３は、キセノン管２１０からストロボ光が放射されているか否かの検知に使用されると共に、ストロボ光の光量制御に使用することができる。
【００６２】
図５は、オペアンプＯＡからの出力電圧を用いたストロボ光の光量制御を説明するための図である。図５には、ストロボ光をフラット発光させているときの、キセノン管２１０から放射されるストロボ光の光量、オペアンプＯＡの反転入力端子（−）及び非反転入力端子（＋）に印加される電圧、オペアンプＯＡからの出力電圧、ＩＧＢＴ回路３６の状態の時間変化を示している。図５における横軸は時間を示している。フラット発光は、キセノン管２１０を長時間（数秒〜数十秒）発光させ続ける発光方法であり、例えば、撮影装置１によって短い間隔（数ミリ秒から数十ミリ秒間隔）で高速連写を行う際等に使用される。
【００６３】
図５において、時刻ｔ１は、ＩＧＢＴ回路３６がＯＮの状態になってから所定時間経過後の時刻である。時刻ｔ１〜ｔ２の間、ＩＧＢＴ回路３６はＯＮの状態となっており、キセノン管２１０には駆動電圧が印加されている。キセノン管２１０は、メインコンデンサ３８に充電された電荷が放電することでストロボ光の発光を開始し、徐々にストロボ光の発光光量が大きくなるという特性を有する。そのため、時刻ｔ１〜ｔ２の間、ストロボ光の発光光量は徐々に大きくなる。
【００６４】
キセノン管２１０が発光している間、ＬＥＤ２１２からは受光されたストロボ光の光量に応じた電圧が出力され、オペアンプＯＡの非反転入力端子（＋）に印加される。図５に示されるオペアンプＯＡの印加電圧のグラフには、反転入力端子（−）に印加される電圧Ｖｍが実線で示され、非反転入力端子（＋）に印加されるリファレンス電圧Ｖｒが破線で示されている。反転入力端子（−）に印加される電圧Ｖｍは、時刻ｔ１の時点ではリファレンス電圧Ｖｒよりも小さく、ストロボ光の光量が大きくなるにつれて徐々に大きくなる。反転入力端子（−）に印加される電圧Ｖｍは、時刻ｔｏａ１でリファレンス電圧Ｖｒと一致し、時刻ｔｏａ１より後はリファレンス電圧Ｖｒよりも大きくなる。そのため、オペアンプＯＡからは、時刻ｔ１から時刻ｔｏａ１まではハイレベルの電圧が出力され、時刻ｔｏａ１以降はローレベルの電圧が出力される。
【００６５】
オペアンプＯＡからの出力電圧は、システムコントローラ１００に入力される。システムコントローラ１００からは、オペアンプＯＡからの出力電圧に基づいてＩＧＢＴ制御端子４４に印加する電圧が出力される。詳しくは、システムコントローラ１００からは、オペアンプＯＡからハイレベルの電圧が出力されると、ＩＧＢＴ制御端子４４に対してストロボ光の発光を指示する信号が出力される。また、オペアンプＯＡからローレベルの電圧が出力されると、ＩＧＢＴ制御端子４４にストロボ光の発光の停止を指示する信号が入力される。ここで、オペアンプＯＡからの出力電圧がハイレベルとローレベルとの間で切り替えられる時間（例えば、ｔｏａ１）から、ＩＧＢＴ制御端子４４に入力される信号が切り替えられる時間（例えば、ｔ２）までの間には、時間Δｔのタイムラグがある。時間Δｔは、例えば、数マイクロ秒から数十マイクロ秒であり、システムコントローラ１００や各回路の仕様や処理速度に応じて決まる。また、時間Δｔは、予め所定の値に設定されていてもよい。
【００６６】
時刻ｔ２において、ＩＧＢＴ制御端子４４にストロボ光の発光の停止を指示する信号が入力され、ＩＧＢＴ回路３６がＯＦＦの状態になると、キセノン管２１０への駆動電圧の印加が停止される。キセノン管２１０は、駆動電圧の印加が停止されると、徐々に発光光量が小さくなるという特性を有する。そのため、時刻ｔ２以降は、ストロボ光の光量は徐々に小さくなる。ストロボ光の光量が小さくなることに応じて、オペアンプＯＡの反転入力端子（−）に印加される電圧Ｖｍは小さくなる。反転入力端子（−）に印加される電圧Ｖｍは、時刻ｔｏａ２でリファレンス電圧Ｖｒと一致し、時刻ｔｏａ２より後はリファレンス電圧Ｖｒよりも小さくなる。そのため、オペアンプＯＡからは、時刻ｔｏａ１から時刻ｔｏａ２まではローレベルの電圧が出力され、時刻ｔｏａ２を過ぎるとハイレベルの電圧が出力される。
【００６７】
時刻ｔｏａ２で、オペアンプＯＡから出力される電圧がローレベルからハイレベルに切り替えられると、時刻ｔｏａ２からタイムラグΔｔが経過した時刻ｔ３に、システムコントローラ１００からＩＧＢＴ制御端子４４に対してストロボ光の発光を指示する信号が出力される。ＩＧＢＴ制御端子４４にストロボ光の発光を指示する信号が入力されると、ＩＧＢＴ回路３６がＯＮの状態となり、キセノン管２１０に対して駆動電圧が印加される。そのため、時刻ｔ３以降は、ストロボ光の光量は徐々に大きくなる。
【００６８】
このように、オペアンプＯＡからの出力電圧を用いてキセノン管２１０の駆動（ＩＧＢＴ回路３６の状態）が制御されることにより、キセノン管２１０がフラット発光している間、ストロボ光の光量は、図５に示されるストロボ光の光量のグラフに破線で示される目標光量近傍に維持される。
【００６９】
目標光量は、リファレンス電圧Ｖｒの大きさに基づいて決まる。そのため、目標光量は、リファレンス電圧Ｖｒを変更することにより変更可能である。従って、被写体や撮影条件に合わせてリファレンス電圧Ｖｒの大きさを変更することにより、フラット発光時におけるストロボ光の光量を変更することができる。
【００７０】
次に、ＬＥＤ照明光を用いた撮影装置１の状態表示機能について、フローチャートを用いて説明する。ＬＥＤ２１２から放射されるＬＥＤ照明光は、照明装置２００から前方に向かって放射され、撮影装置１の状態表示に使用することができる。
【００７１】
図６は、ＬＥＤ２１２が赤色ＬＥＤと青色ＬＥＤを備えている撮影装置１における、ＬＥＤ照明光を用いた状態表示機能及びストロボ光の光量制御に関するフローチャートである。撮影装置１がストロボ光を発光するように設定されると、図６に示される制御フローが開始される。なお、図６に示されるフローチャートは、撮影装置１のメインフローと並列に動作するサブルーチンとして実行されてもよい。
【００７２】
処理ステップＳ１０１では、ストロボ光の発光モードがフラット発光モードに設定されているか否かが判定される。フラット発光モードに設定されている場合（Ｓ１０１：ＹＥＳ）、処理ステップＳ１０２に進む。一方、発光モードがフラット発光モードに設定されておらず、通常発光モードに設定されている場合（Ｓ１０１：ＮＯ）、処理ステップＳ１１１に進む。なお、最初に処理ステップＳ１０１が実行される時（図６に示される制御フローが開始した時）、赤色ＬＥＤと青色ＬＥＤは何れも消灯された状態である。
【００７３】
処理ステップＳ１０２では、ＥＥＰＲＯＭ１０９から、撮影装置１や照明装置２００に含まれる各回路をフラット発光モードで動作させるために必要な情報が読み出される。また、処理ステップＳ１０２では、撮影者により、フラット発光時におけるストロボ光の光量や発光時間が設定される。
【００７４】
処理ステップＳ１０３では、処理ステップＳ１０２で読み出された情報に基づいて、ＬＥＤ２１２のうち赤色ＬＥＤのみが点灯される。また、処理ステップＳ１０３が実行される前の時点で青色ＬＥＤが点灯している場合、処理ステップＳ１０３では、青色ＬＥＤが消灯される。撮影者は、赤色のＬＥＤ照明光を視認することにより、照明装置２００の発光モードがフラット発光モードに設定されていることを確認することができる。また、赤色のＬＥＤ照明光は、撮影装置１の前方に向かって放射されるため、撮影装置１の被写体の方からも発光モードを確認することができる。
【００７５】
処理ステップＳ１０４では、発光トリガがＯＮになったか否かが判定される。詳しくは、撮影者によってレリーズスイッチが全押し操作されると、発光トリガがＯＮになったと判定され（Ｓ１０４：ＹＥＳ）、次の処理ステップＳ１０５に進む。発光トリガがＯＦＦであると判定された場合は（Ｓ１０４：ＮＯ）、赤色ＬＥＤが点灯している状態で処理ステップＳ１０１に戻り、ストロボ光の発光モードの判定が行われる。
【００７６】
処理ステップＳ１０５では、赤色ＬＥＤが消灯され、ＬＥＤ２１２はフォトダイオードとして機能する。この時、フォトダイオードとして機能するＬＥＤ２１２は、赤色ＬＥＤと青色ＬＥＤの何れか又は両方でもよいが、少なくとも赤色ＬＥＤがフォトダイオードとして使用されることが望ましい。これは、赤色ＬＥＤは、青色ＬＥＤに比べてバンドギャップエネルギーが小さく、比較的広い波長帯域の光に対して受光感度を有するためである。
【００７７】
処理ステップＳ１０６では、キセノン管発光制御部２１１のＩＧＢＴ制御端子４４に対し、ストロボ光の発光を指示する信号が入力される。これによりＩＧＢＴ回路３６の状態がＯＮとなり、キセノン管２１０によるフラット発光が開始される。キセノン管２１０がフラット発光されている間、キセノン管２１０から放射され、ＬＥＤ２１２によって受光されたストロボ光の閾値判定処理が行われる。
【００７８】
処理ステップＳ１０７では、ＩＧＢＴ回路３６がＯＮになっている状態において、ストロボ光の光量が閾値を越えているか否かが判定される。詳しくは、処理ステップＳ１０７の判定処理は、ＬＥＤ駆動制御部２１３のオペアンプＯＡにおける電圧の比較処理によって実行される。ＬＥＤ２１２では、ストロボ光の光量に応じた電圧が発生され、オペアンプＯＡの反転入力端子（−）に印加される。また、オペアンプＯＡの非反転入力端子（＋）にはリファレンス電圧Ｖｒが印加される。反転入力端子（−）に印加される電圧Ｖｍが、非反転入力端子（＋）に印加される電圧Ｖｒよりも小さい場合は、ストロボ光の光量は閾値未満であると判定される（Ｓ１０７：ＮＯ）。ストロボ光の光量は閾値未満であると判定された場合、ＩＧＢＴ回路３６がＯＮの状態に維持されたまま、再度処理ステップＳ１０７が実行される。反転入力端子（−）に印加される電圧Ｖｍが、非反転入力端子（＋）に印加される電圧Ｖｒ以上である場合は、処理ステップＳ１０７で、ストロボ光の光量は閾値以上であると判定され（Ｓ１０７：ＹＥＳ）、処理ステップＳ１０８に進む。
【００７９】
処理ステップＳ１０８では、キセノン管発光制御部２１１のＩＧＢＴ制御端子４４に対し、ストロボ光の発光の停止を指示する信号が入力される。これによりＩＧＢＴ回路３６がＯＦＦの状態に切り替えられ、キセノン管２１０によるフラット発光が中断される。キセノン管２１０によるフラット発光が中断されると、キセノン管２１０から放射されるストロボ光の光量は徐々に小さくなる。なお、処理ステップＳ１０７において、ストロボ光の光量が閾値以上であると判定されてから処理ステップＳ１０８でＩＧＢＴ回路３６がＯＦＦの状態となるまでの間には、所定時間Δｔのタイムラグがある。
【００８０】
処理ステップＳ１０９では、ＩＧＢＴ回路３６がＯＦＦの状態において、ストロボ光の光量が閾値未満であるか否かが判定される。ストロボ光の光量が閾値以上であると判定された場合（Ｓ１０９：ＮＯ）、ＩＧＢＴ回路３６がＯＦＦの状態を維持したまま、再度処理ステップＳ１０９が実行される。ストロボ光の光量が閾値未満であると判定された場合（Ｓ１０９：ＹＥＳ）、処理ステップＳ１１０に進む。
【００８１】
処理ステップＳ１１０では、処理ステップＳ１０６でＩＧＢＴ回路３６がＯＮの状態になってから、設定されている発光時間が経過したか否かが判定される。この発光時間は、処理ステップＳ１０２において、撮影者によって設定された発光時間である。処理ステップＳ１１０で発光時間が経過していないと判定された場合（Ｓ１１０：ＮＯ）、処理ステップＳ１０６に戻り、ＩＧＢＴ回路３６がＯＮの状態に切り替えられる。処理ステップＳ１１０で発光時間が経過したと判定された場合（Ｓ１１０：ＹＥＳ）、処理ステップＳ１１８に進む。
【００８２】
処理ステップＳ１１８では、ストロボ光の発光が停止され、ＬＥＤ照明光を用いた状態表示機能及びストロボ光の光量制御に関する制御フローが終了する。
【００８３】
次に、ストロボ光の発光モードが通常発光モードに設定されている場合の状態表示機能及びストロボ光の制御フローについて説明する。処理ステップＳ１０１において、ストロボ光の発光モードが通常発光モードに設定されている場合（Ｓ１０１：ＮＯ）、処理ステップＳ１１１に進む。
【００８４】
処理ステップＳ１１１では、ＥＥＰＲＯＭ１０９から、撮影装置１や照明装置２００に含まれる各回路を通常発光モードで動作させるために必要な情報が読み出される。
【００８５】
処理ステップＳ１１２では、処理ステップＳ１１１で読み出された情報に基づいて、ＬＥＤ２１２のうち、青色ＬＥＤのみが点灯される。また、処理ステップＳ１１２が実行される前の時点で赤色ＬＥＤが点灯している場合、処理ステップＳ１１２では、赤色ＬＥＤが消灯される。撮影者又は被写体は、青色のＬＥＤ照明光を視認することにより、照明装置２００の発光モードが通常発光モードに設定されていることを確認することができる。
【００８６】
処理ステップＳ１１３では、発光トリガがＯＮになったか否かが判定される。詳しくは、撮影者によってレリーズスイッチが全押し操作されると、発光トリガがＯＮになったと判定され（Ｓ１１３：ＹＥＳ）、次の処理ステップＳ１１４に進む。発光トリガがＯＦＦであると判定された場合は（Ｓ１１３：ＮＯ）、青色ＬＥＤが点灯している状態で処理ステップＳ１０１に戻り、ストロボ光の発光モードの判定が行われる。
【００８７】
処理ステップＳ１１４では、青色ＬＥＤが消灯される。
【００８８】
処理ステップＳ１１５では、キセノン管発光制御部２１１のＩＧＢＴ制御端子４４に対し、ストロボ光の発光を指示する信号が入力される。これによりＩＧＢＴ回路３６がＯＮの状態となり、キセノン管２１０によるフラット発光が開始される。
【００８９】
処理ステップＳ１１６では、処理ステップＳ１１５でＩＧＢＴ回路３６がＯＮの状態になってから、発光時間が経過したか否かが判定される。この発光時間は、通常発光モードにおいて予め設定されている時間、或いはキセノン管２１０及びキセノン管発光制御部の仕様によって決まる時間であり、例えば、数マイクロ秒から数十マイクロ秒である。なお、通常発光モードにおける発光時間は、撮影者によって設定可能であってもよい。処理ステップＳ１１６で、発光時間が経過していないと判定された場合（Ｓ１１６：ＮＯ）、ＩＧＢＴ回路３６がＯＮの状態を維持したまま、再度処理ステップＳ１１６が実行され、発光時間が経過するまで待機する。処理ステップＳ１１６で、発光時間が経過したと判定された場合（Ｓ１１６：ＹＥＳ）、処理ステップＳ１１７に進む。
【００９０】
処理ステップＳ１１７では、ＩＧＢＴ回路３６がＯＦＦの状態に切り替えられてストロボ光の発光が停止される。次いで、処理ステップＳ１１８に進み、光量制御に関する制御フローが終了する。
【００９１】
このように、本実施形態では、撮影装置１がストロボ光を発光するように設定されている場合、ＬＥＤ照明光の色によって、発光モードがフラット発光モードと通常発光モードの何れに設定されているかを、撮影装置１を操作している撮影者や撮影装置１の前方にいる被写体に報知することができる。そのため、撮影者及び被写体はＬＥＤ照明光の色によって照明装置２００に設定されている発光モードを確認することができる。
【００９２】
また、本実施形態では、キセノン管２１０がフラット発光モードで発光されている場合、ＬＥＤ２１２はフォトダイオードとして機能する。ＬＥＤ２１２から出力される電圧に基づいてキセノン管２１０の発光及び発光の停止を切り替えることにより、ストロボ光の光量を目標光量近傍に維持することができる。
【００９３】
また、図２（ｂ）に示されるように、ＬＥＤ２１２は、リフレクタ２１４に設けられた開口部２１６の後方に配置されており、開口部２１６を利用してストロボ光を受光する。そのため、従来のように、キセノン管から放射されたストロボ光を反射板やグラスファイバによってリフクレクタの外部に導光する構成に比べて、ストロボ光を受光するために必要な部材が少なく照明装置２００の大型化を抑えることができる。
【００９４】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【００９５】
以下では、上述の実施形態に基づく様々な変形例について説明する。
【００９６】
（１）ＬＥＤの種類、発光の方法に関する変形例
上述の実施形態では、ＬＥＤ２１２は赤色ＬＥＤと青色ＬＥＤを備えており、ＬＥＤ照明光の色を変えることによって設定されている発光モードを撮影者又は被写体に報知しているが、本発明の実施形態はこれに限定されない。例えば、ＬＥＤ２１２は、赤色ＬＥＤ及び青色ＬＥＤ以外の色のＬＥＤを備えていてもよく、３つ以上のＬＥＤを備えていてもよい。また、ＬＥＤ２１２は白色ＬＥＤであってもよい。白色ＬＥＤは、白色のＬＥＤ光を放射するＬＥＤで、赤・緑・青等の単色の光を個別に発光制御できないＬＥＤである。白色ＬＥＤには、例えば、赤・緑・青色のＬＥＤ照明光をそれぞれ放射する３つのＬＥＤチップを備えるＬＥＤや、青色のＬＥＤチップと黄色の蛍光を発する蛍光体を備えるＬＥＤが使用される。また、ＬＥＤ２１２による撮影者又は被写体への報知は、発光パターンの切り替えによって行われてもよい。ＬＥＤ２１２の発光パターンの切り替えは、例えば、点灯か点滅かを切り替えるものであってもよい。また、ＬＥＤ２１２の発光パターンの切り替えは、点滅する周期を切り替えるものであってもよい。また、ＬＥＤ２１２の発光パターンの切り替えは、ＬＥＤ照明光の光量を切り替えるものであってもよい。また、ＬＥＤ２１２の発光パターンの切り替えは、ＬＥＤ照明光の色や点灯時間、光量等の組み合わせを切り替えるものであってもよい。
【００９７】
（２）報知対象に関する変形例
また、上述の実施形態では、ＬＥＤ照明光は発光モードを報知するために使用されるが、本発明の実施形態はこれに限定されない。ＬＥＤ照明光は、撮影装置１の様々な状態を撮影者又は被写体に報知するために使用されてもよい。
【００９８】
例えば、ＬＥＤ照明光は、撮影装置１が備える顔認識機能と組み合わせて使用されてもよい。顔認識機能は、撮像素子１０５から得られる画像信号に基づいて、被写体が人である場合に、人の顔を認識する機能である。顔認識機能を用いることにより、被写体が笑顔であるか否か、又は被写体の目が開いているか否か等を検知することができる。この検知結果を撮影者に報知することにより、撮影者又は被写体にとって好ましいタイミングで撮影を行うことができる。
【００９９】
この例では、ＬＥＤ照明光を用いて、顔認識機能による検知結果を、被写体に知らせることができる。詳しくは、顔認識機能による検知結果に応じて、ＬＥＤ照明光の発光パターンやＬＥＤ照明光の色を変化させることにより、被写体はＬＥＤ照明光を見ることによって顔認識機能による検知結果を確認することができる。
【０１００】
また、ＬＥＤ照明光は、撮影装置１が備える動体検知機能と組み合わされて使用されてもよい。動体検知機能は、撮像素子１０５から得られる画像信号に基づいて、動いている被写体を検知する機能である。動体検知機能を用いることにより、被写体が静止しているか否か、又は動いている被写体が撮影装置１の画角内の所望の位置にいるか否かを検知することができる。この検知結果を撮影装置１を操作している撮影者に報知することにより、撮影者にとって好ましいタイミングで撮影を行うことができる。
【０１０１】
この例では、ＬＥＤ照明光を用いて、動体検知機能による検知結果を、被写体に知らせることができる。詳しくは、動体検知機能による検知結果に応じて、ＬＥＤ照明光の発光パターンやＬＥＤ照明光の色を変化させることにより、被写体はＬＥＤ照明光を見て動体検知機能による検知結果を確認することができる。
【０１０２】
なお、撮影装置１の顔認識機能や動体検知機能による検知結果は、単に撮影者又は被写体に知らされるだけでなく、撮影処理のトリガとして使用されてもよい。これにより、撮影装置１を直接操作することなく、好ましいタイミングで被写体の撮影を行うことができる。
【０１０３】
また、ＬＥＤ照明光は、撮影装置１の他の機能と組み合わされて使用されてもよい。
【０１０４】
例えば、ＬＥＤ照明光により、撮影装置１のピントが被写体に合っているか否かを撮影者又は被写体に知らせてもよい。また、撮影装置１と被写体との距離に応じてＬＥＤ照明光の発光パターンや色等を変更してもよい。例えば、撮影装置１は、測距装置によって測定された撮影装置１と被写体との間の距離に基づいて被写体がＡＦ制御によるピントの調整可能な範囲にいるかを否かを判定し、判定結果をＬＥＤ照明光を用いて撮影者又は被写体に報知してもよい。
【０１０５】
また、撮影装置１は、測光装置１１１で測定された測光値に基づいて、ストロボ光の要否の判定やストロボ光の光量の設定を行い、この判定結果や設定値を、ＬＥＤ照明光を用いて撮影者又は被写体に報知してもよい。
【０１０６】
また、ＬＥＤ照明光は、ストロボ光のフラット発光モードと通常発光モード以外の発光モードを撮影者又は被写体に報知するために使用してもよい。ストロボ光の発光モードには、例えば、ストロボ光の光量を手動で調整可能なマニュアル発光モードや、測光装置１１１で測定された測光値に基づいてストロボ光を放射させるか否か又はストロボ光の光量が自動で設定される外光オート発光モード等がある。この例では、複数の発光モードのうち何れの発光モードが照明装置２００に設定されているかをＬＥＤ照明光の発光パターンや色等によって、撮影者又は被写体に報知してもよい。
【０１０７】
また、ＬＥＤ照明光は、撮影装置１の状態を撮影者又は被写体に知らせるために使用されてもよい。例えば、ＬＥＤ照明光は、照明装置２００がストロボ光を放射する直前であることを知らせるために使用されてもよい。また、ＬＥＤ照明光は、照明装置２００のメインコンデンサ３８が充電中であることを知らせるために使用されてもよい。また、ＬＥＤ照明光は、照明装置２００に設定されているＧＮ値（ストロボ光の発光光量）を知らせるために使用されてもよい。また、ＬＥＤ照明光は、照明装置２００がストロボ光を発光させないように設定されている場合に、撮影装置１のシャッタ動作を知らせるために使用されてもよい。また、ＬＥＤ照明光は、撮影装置１が連写撮影を行う際に、撮影装置１のシャッタ動作や、撮影された画像信号の記録処理が実行中であること知らせるために使用されてもよい。また、ＬＥＤ照明光は、撮影装置１によりタイマー撮影を行う際に、撮影処理が開始されるまでの時間を知らせるために使用されてもよい。また、ＬＥＤ照明光は、撮影装置１のバッテリの残量を知らせるために使用されてもよい。
【０１０８】
（３）照明装置の構成に関する変形例
また、図２（ａ）、図２（ｂ）に示される照明装置２００は、開口部２１６及びＬＥＤ２１２は、キセノン管２１０の後方に配置されているが、本発明の実施形態はこれに限定されない。
【０１０９】
図７は、本発明の実施形態の変形例における照明装置２００ａの断面図である。図７に示されるように、照明装置２００ａは、筐体２２０ａ内に、キセノン管２１０ａ、ＬＥＤ２１２ａ、リフレクタ２１４ａ、及びミラー２１７ａを備えている。ＬＥＤ２１２ａの発光面には、レンズ部２１２ａＬが設けられている。リフレクタ２１４ａは湾曲形状を有しており、凹状の面に反射面２１５ａが形成されている。また、リフレクタ２１４ａには、開口部２１６ａが設けられている。開口部２１６ａ及びＬＥＤ２１２ａは、凹状の反射面２１５ａの中心から下方向にずれた位置に配置されている。ミラー２１７ａは、キセノン管２１０から放射され、開口部２１６ａに入射したストロボ光がＬＥＤ２１２ａで受光され易くなるようにＬＥＤ２１２ａの下方に配置されている。
【０１１０】
図７に示される照明装置２００ａでは、ＬＥＤ２１２ａから放射されたＬＥＤ照明光の主光束は、キセノン管２１０ａに直接入射されずに照明装置２００ａの前方に放射される。そのため、図７に示される照明装置２００ａは、図２に示されるＬＥＤ照明光の主光束がキセノン管２１０に直接入射する構成に比べてＬＥＤ照明光が発散しにくく、比較的狭い領域に強い強度を保って放射される。従って、図７に示される照明装置２００ａは、ＬＥＤ照明光はイルミネーション機能や状態表示機能としてだけでなく、被写体を照明するための照明光としての使用にも適している。ＬＥＤ２１２ａは、キセノン管２１０ａに比べて比較的低い電圧で長時間駆動することが可能である。そのため、ＬＥＤ２１２ａは、連写撮影時やビデオ撮影時において、長時間発光させる照明光として使用することができる。
【０１１１】
また、ＬＥＤ２１２ａから放射されるＬＥＤ照明光の一部は、キセノン管２１０ａ及びリフレクタ２１４ａで反射されるため、図２（ｂ）に示される照明装置２００と同様に、撮影装置１の状態を撮影者又は被写体に知らせるために使用することができる。また、キセノン管２１０ａから放射されたストロボ光の位置は、直接又はミラー２１７ａで反射された上でＬＥＤ２１２ａに入射されるため、ＬＥＤ２１２ａをストロボ光の光量制御に使用することができる。なお、ＬＥＤ照明光を、被写体を照明するために使用する場合、ＬＥＤ２１２ａとして白色ＬＥＤを使用することが望ましい。
【０１１２】
また、図７に示される変形例では、開口部２１６ａ及びＬＥＤ２１２ａは、凹状の反射面２１５ａの中心から下方向にずれた位置に配置されているが、これに限定されない。開口部２１６ａ及びＬＥＤ２１２ａは、凹状の反射面２１５ａの中心から上方向にずれた位置に配置されていてもよく、凹状の反射面２１５ａの中心から左右方向にずれた位置に配置されていてもよい。また、開口部２１６ａ及びＬＥＤ２１２ａは、凹状の反射面２１５ａの中心から、上下方向と左右方向の両方にずれた位置に配置されていてもよい。
【０１１３】
また、本発明の実施形態の照明装置２００の変形例は図７に示される構成に限定されない。図８は、本実施形態の別の変形例における照明装置２００ｂの断面図である。図８に示されるように、照明装置２００ｂは、筐体２２０ｂ内に、キセノン管２１０ｂ、ＬＥＤ２１２ｂ、リフレクタ２１４ｂ、ミラー２１７ｂ、導光路２１８ｂ、観察窓２１９ｂを備えている。ＬＥＤ２１２ｂの発光面には、レンズ部２１２ｂＬが設けられている。リフレクタ２１４ｂは湾曲形状を有しており、凹状の面に反射面２１５ｂが形成されている。また、リフレクタ２１４ｂには、開口部２１６ｂが設けられている。導光路２１８ｂは、透明な樹脂やガラスによって形成された導光路でも良く、反射面で覆われた中空の形状であってもよい。
【０１１４】
図８に示される照明装置２００ｂでは、ＬＥＤ２１２ｂから放射されたＬＥＤ照明光の一部は、開口部２１６ｂを通って照明装置２００ｂの前方に放射され、他の一部は導光路２１８ｂを通って照明装置２００ｂの後方に導光されて観察窓２１９ｂから放射される。このように、ＬＥＤ照明光を、被写体がある方向（前方）とは異なる方向にも導光することにより、撮影者は、撮影装置１（照明装置２００）の前方だけでなく、後方からも、ＬＥＤ照明光を確認することができる。なお、観察窓２１９ｂが配置される位置は、筐体２２０ｂの後方に限定されない。観察窓２１９ｂは、筐体２２０ｂの上方や左右方向の側面に配置されていてもよい。
【０１１５】
また、図２（ｂ）に示される照明装置２００では、ＬＥＤ２１２のレンズ部２１２Ｌは、開口部２１６の後方に配置されているが、本実施形態はこれに限定されない。例えば、レンズ部２１２Ｌは、その一部が開口部２１６よりも前方に飛び出すように配置されていてもよい。これにより、ＬＥＤ照明光を被写体の側（前方）に効率よく放射させることができる。
【０１１６】
また、レンズ部２１２Ｌが開口部２１６の前方と後方の何れに配置されているかに拘らず、ＬＥＤ２１２（ＬＥＤ２１２のレンズ部２１２Ｌ以外の部分）は開口部２１６の後方に配置されていることが望ましい。ＬＥＤ２１２を開口部２１６の後方に配置することにより、開口部２１６の大きさを、ＬＥＤ照明光を通すために必要な大きさ、或いはＬＥＤ２１２の発光面でストロボ光を受光するために必要な大きさに抑えることができる。そのため、開口部２１６を通り開口部２１６よりも後方に放射されるストロボ光の光量を抑えることができる。また、開口部２１６を通ったストロボ光のＬＥＤ２１２で受光される割合を増やすことができる。これにより、ストロボ光の利用効率の低下を抑えることができる。
【０１１７】
（４）ＬＥＤ駆動制御部に関する変形例
また、本実施形態のＬＥＤ駆動制御部２１３は、図４に示される構成に限定されない。
【０１１８】
図９は、本発明の実施形態の変形例におけるＬＥＤ駆動制御部２１３ｃを説明するための図である。図９に示されるＬＥＤ駆動制御部２１３ｃは、ＬＥＤ２１２と抵抗Ｒ４との間にオペアンプＯＡｃを追加し、オペアンプＯＡに抵抗Ｒ１０を接続してオペアンプＯＡを反転増幅器と使用していること以外は、図４に示されるＬＥＤ駆動制御部２１３と同じである。なお、図９では、図４と共通する要素については同一の符号を使用している。
【０１１９】
図９に示されるＬＥＤ駆動制御部２１３ｃでは、オペアンプＯＡｃは、ＬＥＤ２１２から出力された電圧を増幅するために使用される。また、オペアンプＯＡを反転増幅器として使用しているため、端子ＯＵＴから出力される電圧は、フォトダイオードとして使用しているＬＥＤ２１２から出力された電圧に応じた電圧で、且つ極性が反転している。そのため、ＬＥＤ駆動制御部２１３ｃでは、端子ＯＵＴからの出力電圧を用いて、キセノン管２１０から放射されるストロボ光の光量を見積もることができる。見積もられたストロボ光の光量は、例えば、より細かいストロボ光の光量制御や、ストロボ光の寿命の見積もり等に使用することができる。ただし、図９に示されるＬＥＤ駆動制御部２１３ｃの構成は一例であり、ＬＥＤ２１２から出力された電圧を増幅する構成であれば、ＬＥＤ駆動制御部２１３ｃは反転増幅と非反転増幅の何れかに限定されるものではない。
【０１２０】
また、本発明の実施形態のＬＥＤ駆動制御部２１３の変形例は図９に示される構成に限定されない。図１０は、本発明の実施形態の別の変形例におけるＬＥＤ駆動制御部２１３ｄを説明するための図である。図１０に示されるＬＥＤ駆動制御部２１３ｄは、ＤＡＣ（Digital to Analog Converter）を用いてオペアンプＯＡの非反転入力端子（＋）に電圧を印加すること以外は、図４に示されるＬＥＤ駆動制御部２１３と同じである。なお、図１０では、図４と共通する要素については同一の符号を使用している。
【０１２１】
ＤＡＣは、出力電圧をダイナミックに変化させることが可能である。そのため、図１０に示されるＬＥＤ駆動制御部２１３ｄでは、オペアンプＯＡの非反転入力端子（＋）に印加するリファレンス電圧Ｖｒを所定の範囲内で任意に変化させることができる。リファレンス電圧Ｖｒを変化させることにより、オペアンプＯＡの出力端子ＯＵＴからハイレベルの電圧を出力させるか、ローレベルの電圧を出力させるかの閾値が変化する。
【０１２２】
オペアンプＯＡの出力端子ＯＵＴから出力される電圧に応じて、キセノン管発光制御部２１１におけるＩＧＢＴ回路３６のＯＮとＯＦＦの状態が変化する。ＩＧＢＴ回路３６のＯＮとＯＦＦの状態の切り替えは、キセノン管２１０から放射されるストロボ光を目標光量に維持するために行っている。また、目標光量は、リファレンス電圧Ｖｒに対応している。そのため、ＤＡＣによってリファレンス電圧Ｖｒを変化させることにより、ストロボ光の目標光量を変化させることができる。
【符号の説明】
【０１２３】
１  撮影装置
３０  倍電圧回路
３２  トリガ回路
３４  チョークコイル
３６  ＩＧＢＴ回路
３８  メインコンデンサ
４０  ダイオード
４２  電源端子
４４  ＩＧＢＴ制御端子
４６  ＧＮＤ端子
ＩＮ、ＯＵＴ、Ｖｃｃ１〜Ｖｃｃ３  端子
Ｒ１〜Ｒ１０  抵抗
ＯＡ、ＯＡｃ  オペアンプ
１００  システムコントローラ
１０１  操作部
１０２  絞り駆動回路
１０３  シャッタ駆動回路
１０４  フォーカス駆動回路
１０５  撮像素子
１０６  撮像素子駆動回路
１０７  ＡＤ変換回路
１０８  ＤＲＡＭ
１０９  ＥＥＰＲＯＭ
１１０  ＬＣＤ
１１１  測光装置
１１２  測距装置
１１３  カード用インタフェース
２００、２００ａ、２００ｂ  照明装置
２１０、２１０ａ、２１０ｂ  キセノン管
２１１、２１１ａ、２１１ｂ  キセノン管発光制御部
２１２、２１２ａ、２１２ｂ  ＬＥＤ
２１２Ｌ、２１２ａＬ、２１２ｂＬ  レンズ部
２１３、２１３ｃ、２１３ｄ  ＬＥＤ駆動制御部
２１４、２１４ａ、２１４ｂ  リフレクタ
２１５、２１５ａ、２１５ｂ  反射面
２１６、２１６ａ、２１６ｂ  開口部
２１７ａ、２１７ｂ  ミラー
２１８ｂ  導光路
２１９ｂ  観察窓
２２０、２２０ａ、２２０ｂ  筐体
３００  メモリカード
【図１】
2016133542.tif 000003
【図２】
2016133542.tif 000004
【図３】
2016133542.tif 000005
【図４】
2016133542.tif 000006
【図５】
2016133542.tif 000007
【図６】
2016133542.tif 000008
【図７】
2016133542.tif 000009
【図８】
2016133542.tif 000010
【図９】
2016133542.tif 000011
【図１０】
2016133542.tif 000012